(57)【特許請求の範囲】
【請求項１】
所定の設置位置で無線信号を受信して該無線信号の到来方位を測定する複数の方位情報測定手段と、
前記各設置位置に対応した設置位置情報が予め登録され、前記各方位情報測定手段で測定された前記各無線信号の前記到来方位と前記設置位置情報とに基づいて前記各無線信号の発射源位置を推定して発射源位置推定情報を出力する発射源位置推定手段と、
監視の対象となる無線局に関する情報を表す無線局情報として、無線局の名称、位置情報および電波型式が予め登録され、前記発射源位置推定情報に対応する位置及びその近傍の前記無線局情報を検索し、該検索の結果に対応する無線局に関する推定情報を表す推定無線局情報を出力する無線局情報検索手段と、
前記各方位情報測定手段で受信された前記無線信号に基づいて、前記各無線信号を発射した前記無線局を表す識別信号を解読して識別信号情報を出力するための識別信号解読手段と、
前記識別信号解読手段から前記識別信号情報が出力されたとき、前記無線局情報検索手段から出力された前記推定無線局情報を検索して前記識別信号解読手段から出力された前記識別信号情報と同一の値を有する無線局を選択し、選択された前記無線局と前記発射源位置推定手段から出力された前記発射源位置推定情報とを関連付けて前記発射源位置を前記無線局毎に分類することにより、前記発射源位置にある前記無線局の無線局情報を特定する無線局個体特定手段とを備えてなることを特徴とする電波監視装置。
【請求項２】
前記各方位情報測定手段で受信された前記無線信号に基づいて、前記各無線信号の電波型式を推定して推定電波型式情報を出力する電波型式推定手段が設けられ、
前記無線局個体特定手段は、
前記識別信号解読手段から前記識別信号情報が出力されないとき、前記無線局情報検索手段から出力された前記推定無線局情報を検索して前記電波型式推定手段から出力された前記推定電波型式情報と同一の型式を有する無線局を選択し、選択された前記無線局と前記発射源位置推定手段から出力された前記発射源位置推定情報とを関連付けて前記発射源位置を前記無線局毎に分類することにより、前記発射源位置にある前記無線局の無線局情報を特定する構成とされていることを特徴とする請求項１記載の電波監視装置。
【請求項３】
前記発射源位置推定手段から出力された前記発射源位置推定情報に基づいて、前記発射源位置が所定時間変動しない場合に該発射源位置にある前記無線局を固定局と判断する一方、変動がある場合に移動局と判断し、無線局毎の発射源位置を推定して局毎発射源位置推定情報を出力する固定局・移動局判断手段が設けられ、
前記無線局個体特定手段は、
前記発射源位置推定情報に代えて、前記固定局・移動局判断手段から出力された前記局毎発射源位置推定情報を用いる構成とされていることを特徴とする請求項１又は２記載の電波監視装置。
【請求項４】
前記各方位情報測定手段は、
前記設置位置に設置されているアンテナと、
前記アンテナで受信された各無線信号を中間周波数信号に変換する受信機と、
前記受信機から出力された前記中間周波数信号をアナログ／デジタル変換してデジタル複素包絡信号を出力するアナログ／デジタル変換器と、
前記アナログ／デジタル変換器から出力された前記各デジタル複素包絡信号に基づいて、前記アンテナで受信された前記無線信号の到来方位を所定の時間間隔で測定して方位情報を出力する方位測定部とから構成されていることを特徴とする請求項１、２又は３記載の電波監視装置。
【請求項５】
前記識別信号解読手段は、
前記アナログ／デジタル変換器から出力された前記各デジタル複素包絡信号に基づいて、前記発射源位置にある前記無線局を表す前記識別信号を解読して前記識別信号情報を出力する構成とされていることを特徴とする請求項４記載の電波監視装置。
【請求項６】
前記電波型式推定手段は、
前記アナログ／デジタル変換器から出力された前記各デジタル複素包絡信号に基づいて、前記アンテナで受信された前記無線信号の電波型式を推定して前記推定電波型式情報を出力する構成とされていることを特徴とする請求項４又は５記載の電波監視装置。
【請求項７】
無線局識別プログラムがコンピュータに、無線局を識別させる無線局識別方法であって、
前記コンピュータに、
複数の設置位置で無線信号を受信して該無線信号の到来方位を測定する方位情報測定処理と、
前記各設置位置に対応した設置位置情報を予め登録し、前記方位情報測定処理で測定された前記各無線信号の前記到来方位と前記設置位置情報とに基づいて前記各無線信号の発射源位置を推定して発射源位置推定情報を出力する発射源位置推定処理と、
監視の対象となる無線局に関する情報を表す無線局情報として、無線局の名称、位置情報および電波型式を予め登録し、前記発射源位置推定情報に対応する位置及びその近傍の前記無線局情報を検索し、該検索の結果に対応する無線局に関する推定情報を表す推定無線局情報を出力する無線局情報検索処理と、
前記方位情報測定処理で受信された前記無線信号に基づいて、前記各無線信号を発射した前記無線局を表す識別信号を解読して識別信号情報を出力するための識別信号解読処理と、
前記識別信号解読処理で前記識別信号情報が出力されたとき、前記無線局情報検索処理で出力された前記推定無線局情報を検索して前記識別信号解読処理で出力された前記識別信号情報と同一の値を有する無線局を選択し、選択された前記無線局と前記発射源位置推定処理で出力された前記発射源位置推定情報とを関連付けて前記発射源位置を前記無線局毎に分類することにより、前記発射源位置にある前記無線局の無線局情報を特定する無線局個体特定処理とを行わせることを特徴とする無線局識別方法。
【請求項８】
前記コンピュータに、
前記各方位情報測定処理で受信された前記無線信号に基づいて、前記各無線信号の電波型式を推定して推定電波型式情報を出力する電波型式推定処理を行わせ、
前記無線局個体特定処理では、
前記識別信号解読処理で前記識別信号情報が出力されないとき、前記無線局情報検索処理で出力された前記推定無線局情報を検索して前記電波型式推定処理で出力された前記推定電波型式情報と同一の型式を有する無線局を選択し、選択された前記無線局と前記発射源位置推定処理で出力された前記発射源位置推定情報とを関連付けて前記発射源位置を前記無線局毎に分類することにより、前記発射源位置にある前記無線局の無線局情報を特定することを特徴とする請求項７記載の無線局識別方法。
【請求項９】
前記コンピュータに、
前記発射源位置推定処理で出力された前記発射源位置推定情報に基づいて、前記発射源位置が所定時間変動しない場合に該発射源位置にある前記無線局を固定局と判断する一方、変動がある場合に移動局と判断し、無線局毎の発射源位置を推定して局毎発射源位置推定情報を出力する固定局・移動局判断処理を行わせ、
前記無線局個体特定処理では、
前記発射源位置推定情報に代えて、前記固定局・移動局判断処理で出力された前記局毎発射源位置推定情報を用いることを特徴とする請求項７又は８記載の無線局識別方法。
【請求項１０】
前記方位情報測定処理では、
前記コンピュータに、
前記各設置位置に設置されているアンテナで受信された各無線信号を中間周波数信号に変換する受信処理と、
前記受信処理で出力された前記中間周波数信号をアナログ／デジタル変換してデジタル複素包絡信号を出力するアナログ／デジタル変換処理と、
前記アナログ／デジタル変換処理で出力された前記各デジタル複素包絡信号に基づいて、前記アンテナで受信された前記無線信号の到来方位を所定の時間間隔で測定して方位情報を出力する方位測定処理とを行わせることを特徴とする請求項７、８又は９記載の無線局識別方法。
【発明の詳細な説明】
【技術分野】
【０００１】
この発明は、電波監視装置及び無線局識別方法に係り、特に、受信した電波を発射した無線局の個体を特定する場合に用いて好適な電波監視装置及び無線局識別方法に関する。
【背景技術】
【０００２】
電波監視装置では、複数箇所に配置されているセンサ局で捕捉された電波の推定電波発射源に基づいて、熟練した監視者の経験と勘とを頼りにして、同推定電波発射源と無線局情報（たとえば、氏名、連絡先、使用可能周波数、送信電力、電波型式など）との関連付け、つまり、個の特定が行われる。ところが、この場合、熟練していない監視者が無線局の個の特定を行うことは困難であるという問題点がある。また、熟練した監視者においても、個の特定を行う作業には、多大な労力が必要となるという問題点もある。このため、監視者の経験や勘に頼ることなく、受信した電波の推定電波発射源の個体を特定することが可能な電波監視装置が要求されている。
【０００３】
この種の関連技術としては、たとえば、特許文献１に記載された電波監視装置がある。
この電波監視装置では、判定部により、受信アンテナで受信された信号の、たとえば周波数が検出され、予め設定された周波数と対比して、監視対象の受信信号であるか否かが判定され、監視対象と判定されたとき、その受信信号の電波諸元（周波数）データと共に、その到来方位測定指令が調停部に供給される。調停部では、複数の方位測定部の中から到来方位を測定する方位測定部を適宜選択し、電波諸元（周波数）データ及び到来方位測定指令を供給し、同方位測定部で測定された方位測定結果を監視卓に供給する。したがって、監視卓は、監視電波発信源の方位あるいはその位置を推定して地図上に表示する。
【０００４】
また、特許文献２に記載された電波監視装置では、信号検出部により、受信信号から監視対象となる送信信号の有無が検出され、無線局同定部により、上記送信信号の特性から同送信信号の発信源である無線局を一意に識別するための無線局同定情報が出力される。方位測定部により、上記送信信号の到来方位が測定され、発信源位置推定部により、上記方位測定部の測定結果から上記発信源の位置が推定される。発信源位置分類部は、上記無線局同定情報で示される無線局と上記発信源位置推定部で推定された対応する発信源の位置とを関連付けて出力する。
【先行技術文献】
【特許文献】
【０００５】
【特許文献１】特開２００４−２１２１８５号公報
【特許文献２】特開２００７−２４８１１０号公報
【発明の概要】
【発明が解決しようとする課題】
【０００６】
しかしながら、上記関連技術では、次のような課題があった。
すなわち、特許文献１に記載された電波監視装置では、監視対象となる未知の電波が的確に捉えられて効率良く到来方向が測定され、電波の発射位置（緯度経度）が特定されるが、ある時間内において発射位置が複数検出された場合、同時に何個の無線局が出現（通信）しているかが把握されないという課題がある。
【０００７】
特許文献２に記載された電波監視装置では、監視対象の無線局の位置を容易に追跡することができ、単位時間内に何個の無線局が出現しているかが把握されるが、各無線局に関する情報は、個別には把握されないという課題がある。
【０００８】
この発明は、上述の事情に鑑みてなされたもので、監視者の経験や勘に頼ることなく、受信した電波を発射した無線局の個体を特定できる電波監視装置及び無線局識別方法を提供することを目的としている。
【課題を解決するための手段】
【０００９】
上記課題を解決するために、この発明の第１の構成は、電波監視装置に係り、所定の設置位置で無線信号を受信して該無線信号の到来方位を測定する複数の方位情報測定手段と、前記各設置位置に対応した設置位置情報が予め登録され、前記各方位情報測定手段で測定された前記各無線信号の前記到来方位と前記設置位置情報とに基づいて前記各無線信号の発射源位置を推定して発射源位置推定情報を出力する発射源位置推定手段と、監視の対象となる無線局に関する情報を表す無線局情報として、無線局の名称、位置情報および電波型式が予め登録され、前記発射源位置推定情報に対応する位置及びその近傍の前記無線局情報を検索し、該検索の結果に対応する無線局に関する推定情報を表す推定無線局情報を出力する無線局情報検索手段と、前記各方位情報測定手段で受信された前記無線信号に基づいて、前記各無線信号を発射した前記無線局を表す識別信号を解読して識別信号情報を出力するための識別信号解読手段と、前記識別信号解読手段から前記識別信号情報が出力されたとき、前記無線局情報検索手段から出力された前記推定無線局情報を検索して前記識別信号解読手段から出力された前記識別信号情報と同一の値を有する無線局を選択し、選択された前記無線局と前記発射源位置推定手段から出力された前記発射源位置推定情報とを関連付けて前記発射源位置を前記無線局毎に分類することにより、前記発射源位置にある前記無線局の無線局情報を特定する無線局個体特定手段とを備えてなることを特徴としている。
【００１０】
この発明の第２の構成は、無線局識別プログラムがコンピュータに、無線局を識別させる無線局識別方法に係り、前記コンピュータに、複数の設置位置で無線信号を受信して該無線信号の到来方位を測定する方位情報測定処理と、前記各設置位置に対応した設置位置情報を予め登録し、前記方位情報測定処理で測定された前記各無線信号の前記到来方位と前記設置位置情報とに基づいて前記各無線信号の発射源位置を推定して発射源位置推定情報を出力する発射源位置推定処理と、監視の対象となる無線局に関する情報を表す無線局情報として、無線局の名称、位置情報および電波型式を予め登録し、前記発射源位置推定情報に対応する位置及びその近傍の前記無線局情報を検索し、該検索の結果に対応する無線局に関する推定情報を表す推定無線局情報を出力する無線局情報検索処理と、前記方位情報測定処理で受信された前記無線信号に基づいて、前記各無線信号を発射した前記無線局を表す識別信号を解読して識別信号情報を出力するための識別信号解読処理と、前記識別信号解読処理で前記識別信号情報が出力されたとき、前記無線局情報検索処理で出力された前記推定無線局情報を検索して前記識別信号解読処理で出力された前記識別信号情報と同一の値を有する無線局を選択し、選択された前記無線局と前記発射源位置推定処理で出力された前記発射源位置推定情報とを関連付けて前記発射源位置を前記無線局毎に分類することにより、前記発射源位置にある前記無線局の無線局情報を特定する無線局個体特定処理とを行わせることを特徴としている。
【発明の効果】
【００１１】
この発明の構成によれば、監視者の経験や勘に頼ることなく、受信した電波を発射した無線局の無線局情報を特定することができる。
【図面の簡単な説明】
【００１２】
上記各方位情報測定手段（アンテナ、受信機、Ａ／Ｄ変換器、方位測定部）で受信された上記無線信号に基づいて、上記各無線信号の電波型式（ＦＭ、ＡＭなどの変調方式など）を推定して推定電波型式情報を出力する電波型式推定手段（電波型式推定部）が設けられ、上記無線局個体特定手段（個特定部）は、上記識別信号解読手段（識別信号解読部）から上記識別信号情報が出力されないとき、上記無線局情報検索手段（無線局情報検索部）から出力された上記推定無線局情報を検索して上記電波型式推定手段（電波型式推定部）から出力された上記推定電波型式情報と同一の型式を有する無線局を選択し、選択された上記無線局と上記発射源位置推定手段（発射源位置推定部）から出力された上記発射源位置推定情報とを関連付けて上記発射源位置を上記無線局毎に分類することにより、上記発射源位置にある上記無線局の個体（無線局情報）を特定する構成とされている電波監視装置を実現する。
【発明を実施するための形態】
【００１３】
上記各方位情報測定手段（アンテナ、受信機、Ａ／Ｄ変換器、方位測定部）で受信された上記無線信号に基づいて、上記各無線信号の電波型式（ＦＭ、ＡＭなどの変調方式など）を推定して推定電波型式情報を出力する電波型式推定手段（電波型式推定部）が設けられ、上記無線局個体特定手段（個特定部）は、上記識別信号解読手段（識別信号解読部）から上記識別信号情報が出力されないとき、上記無線局情報検索手段（無線局情報検索部）から出力された上記推定無線局情報を検索して上記電波型式推定手段（電波型式推定部）から出力された上記推定電波型式情報と同一の型式を有する無線局を選択し、選択された上記無線局と上記発射源位置推定手段（発射源位置推定部）から出力された上記発射源位置推定情報とを関連付けて上記発射源位置を上記無線局毎に分類することにより、上記発射源位置にある上記無線局の個体を特定する構成とされている電波監視装置を実現する。
【００１４】
また、上記発射源位置推定手段（発射源位置推定部）から出力された上記発射源位置推定情報に基づいて、上記発射源位置が所定時間変動しない場合に該発射源位置にある上記無線局を固定局と判断する一方、変動がある場合に移動局と判断し、無線局毎の発射源位置を推定して局毎発射源位置推定情報を出力する固定局・移動局判断手段（固定局・移動局判断部）が設けられ、上記無線局個体特定手段（個特定部）は、上記発射源位置推定情報に代えて、上記固定局・移動局判断手段（固定局・移動局判断部）から出力された上記局毎発射源位置推定情報を用いる構成とされている。
【００１５】
また、上記各方位情報測定手段（アンテナ、受信機、Ａ／Ｄ変換器、方位測定部）は、上記設置位置に設置されているアンテナと、上記アンテナで受信された各無線信号を中間周波数信号に変換する受信機と、上記受信機から出力された上記中間周波数信号をＡ／Ｄ変換してデジタル複素包絡信号を出力するＡ／Ｄ変換器と、上記Ａ／Ｄ変換器から出力された上記各デジタル複素包絡信号に基づいて、上記アンテナで受信された上記無線信号の到来方位を所定の時間間隔で測定して方位情報を出力する方位測定部とから構成されている。
【００１６】
また、上記識別信号解読手段（識別信号解読部）は、上記Ａ／Ｄ変換器から出力された上記各デジタル複素包絡信号に基づいて、上記発射源位置にある上記無線局を表す上記識別信号を解読して上記識別信号情報を出力する構成とされている。また、上記電波型式推定手段（電波型式推定部）は、上記Ａ／Ｄ変換器から出力された上記各デジタル複素包絡信号に基づいて、上記アンテナで受信された上記無線信号の電波型式を推定して上記推定電波型式情報を出力する構成とされている。
【実施形態】
【００１７】
図１は、この発明の一実施形態である電波監視装置の要部の電気的構成を示すブロック図である。
この形態の電波監視装置１は、同図に示すように、アンテナ２と、受信機３と、Ａ／Ｄ（アナログ／デジタル）変換器４と、方位測定部５と、発射源位置推定部６と、固定局・移動局判断部７と、電波型式推定部８と、識別信号解読部９と、無線局情報検索部１０と、個特定部１１とから構成されている。アンテナ２は、複数（たとえば３個）のアンテナからなり、それぞれ異なる設置位置に設置されている。受信機３は、上記各アンテナに対応して設けられた複数の受信機からなり、同アンテナ２で受信された各無線信号ｗを中間周波数信号ｃｓに変換する。
【００１８】
Ａ／Ｄ変換器４は、上記各受信機に対応して設けられた複数のＡ／Ｄ変換器からなり、受信機３から出力された中間周波数信号ｃｓをＡ／Ｄ変換してデジタル複素包絡信号ｄｕを出力する。方位測定部５は、上記各Ａ／Ｄ変換器に対応して設けられた複数の方位測定部からなり、Ａ／Ｄ変換器４から出力された各デジタル複素包絡信号ｄｕに基づいて、アンテナ２で受信された無線信号ｗの到来方位を所定の時間間隔で測定して方位情報ｄｒを出力する。また、方位測定部５は、Ａ／Ｄ変換器４及び受信機３に対して、動作を指示するための監視指示信号ｃａを送出する他、識別信号解読部９に対して、動作のタイミングを与えるためのタイミング信号ｔａを送出すると共に、電波型式推定部８に対して、動作のタイミングを与えるためのタイミング信号ｔｂを送出する。これらのアンテナ２、受信機３、Ａ／Ｄ変換器４及び方位測定部５により、方位情報測定手段が構成されている。
【００１９】
発射源位置推定部６は、アンテナ２の各設置位置に対応した設置位置情報（緯度、経度）が予め登録され、上記各方位情報測定手段（アンテナ２、受信機３、Ａ／Ｄ変換器４、方位測定部５）で測定された各無線信号ｗの到来方位（方位情報ｄｒ）と上記設置位置情報（緯度、経度）とに基づいて、各無線信号ｗの発射源位置を推定して発射源位置推定情報ｓａを出力する。この場合、発射源位置推定部６は、各無線信号ｗの到来方位と上記設置位置情報とを用いて到来方位の交点を求め、この交点を発射源位置とする。無線局情報検索部１０は、この電波監視装置１による監視の対象となる無線局に関する情報を表す無線局情報（たとえば、無線局の名称、位置情報［緯度、経度］、使用可能周波数、電波型式、送信電力など）が予め登録され、発射源位置推定部６から出力された発射源位置推定情報ｓａに対応する位置及びその近傍の無線局情報を検索し、この検索の結果に対応する無線局に関する情報を表す推定無線局情報ｗｓを出力する。
【００２０】
識別信号解読部９は、上記各方位情報測定手段で受信された無線信号ｗが、たとえばデジタル無線などの識別信号を有するものであれば、同無線信号ｗに基づいて、各無線信号ｗを発射した無線局を表す識別信号を解読して識別信号情報ｄｓを出力するためのものである。特に、この実施形態では、識別信号解読部９は、各Ａ／Ｄ変換器４から出力された各デジタル複素包絡信号ｄｕを解析することにより、各アンテナ２で受信された無線信号ｗに含まれる、上記発射源位置にある無線局を表す識別信号を解読して識別信号情報ｄｓを出力する。電波型式推定部８は、上記各方位情報測定手段で受信された無線信号ｗに基づいて、各無線信号ｗの電波型式（ＦＭ、ＡＭなどの変調方式など）を推定して推定電波型式情報ｐｗを出力する。特に、この実施形態では、電波型式推定部８は、Ａ／Ｄ変換器４から出力されたデジタル複素包絡信号ｄｕを解析することにより、アンテナ２で受信された無線信号ｗの電波型式を推定して推定電波型式情報ｐｗを出力する。
【００２１】
固定局・移動局判断部７は、発射源位置推定部６から出力された発射源位置推定情報ｓａに基づいて、上記発射源位置が所定時間変動しない場合に同発射源位置にある無線局を固定局と判断する一方、変動がある場合に移動局と判断し、無線局毎の発射源位置を推定して局毎発射源位置推定情報ｓｂを出力する。個特定部１１は、無線局情報検索部１０から出力された推定無線局情報ｗｓを検索して識別信号解読部９から出力された識別信号情報ｄｓと同一の値（たとえば識別子など）を有する無線局を選択し、選択された無線局と固定局・移動局判断部７から出力された局毎発射源位置推定情報ｓｂとを関連付けて上記発射源位置を無線局毎に分類することにより、同発射源位置にある無線局の個体を特定する。また、個特定部１１は、識別信号解読部９から識別信号情報ｄｓが出力されないとき、無線局情報検索部１０から出力された推定無線局情報ｗｓを検索して電波型式推定部８から出力された推定電波型式情報ｐｗと同一の型式を有する無線局を選択し、選択された無線局と固定局・移動局判断部７から出力された局毎発射源位置推定情報ｓｂとを関連付けて上記発射源位置を無線局毎に分類することにより、同発射源位置にある無線局の個体を特定する。また、この電波監視装置１は、無線局識別プログラムに基づいて機能するコンピュータで構成されている。
【００２２】
図２は、図１の電波監視装置の動作を説明するフローチャートである。
この図を参照して、この形態の電波監視装置に用いられる無線局識別方法の処理内容について説明する。
この電波監視装置では、各方位情報測定手段（アンテナ２、受信機３、Ａ／Ｄ変換器４、方位測定部５）により、複数の設置位置で無線信号ｗが受信されて同無線信号ｗの到来方位が測定される（ステップＡ１、方位情報測定処理）。発射源位置推定手段（発射源位置推定部６）により、上記各設置位置に対応した設置位置情報（緯度、経度）が登録され、上記方位情報測定処理で測定された各無線信号ｗの到来方位と上記設置位置情報とに基づいて各無線信号ｗの発射源位置が推定されて発射源位置推定情報ｓａが出力される（ステップＡ２、発射源位置推定処理）。固定局・移動局判断手段（固定局・移動局判断部７）により、上記発射源位置推定処理で出力された発射源位置推定情報ｓａに基づいて、上記発射源位置が所定時間変動しない場合に同発射源位置にある無線局が固定局と判断する一方、変動がある場合に移動局と判断し、無線局毎の発射源位置を推定して局毎発射源位置推定情報ｓｂが出力される（ステップＡ３、固定局・移動局判断処理）。
【００２３】
また、識別信号解読手段（識別信号解読部９）により、上記方位情報測定処理で受信された無線信号ｗに基づいて、各無線信号ｗを発射した無線局を表す識別信号が解読されて識別信号情報ｄｓが出力される（ステップＡ４、識別信号解読処理）。また、電波型式推定手段（電波型式推定部８）により、上記方位情報測定処理で受信された無線信号ｗに基づいて、各無線信号ｗの電波型式が推定されて推定電波型式情報ｐｗが出力される（ステップＡ５、電波型式推定処理）。無線局情報検索手段（無線局情報検索部１０）により、電波監視装置１による監視の対象となる無線局に関する情報を表す無線局情報が予め登録され、発射源位置推定手段（発射源位置推定部６）から出力された発射源位置推定情報ｓａに対応する位置及びその近傍の無線局情報が検索され、この検索の結果に対応する無線局に関する情報を表す推定無線局情報ｗｓが出力される（ステップＡ６、無線局情報検索処理）。
【００２４】
識別信号解読部９から識別信号情報ｄｓが出力されたとき（ステップＡ７、“Ｙｅｓ”）、個特定部１１により、無線局情報検索部１０から出力された推定無線局情報ｗｓが検索されて識別信号解読部９から出力された識別信号情報ｄｓと同一の値を有する無線局が選択され（ステップＡ８）、選択された無線局と固定局・移動局判断部７から出力された局毎発射源位置推定情報ｓｂとを関連付けて上記発射源位置を無線局毎に分類することにより、同発射源位置にある無線局の個体が特定される。一方、識別信号解読部９から識別信号情報ｄｓが出力されないとき（ステップＡ７、“Ｎｏ”）、個特定部１１により、無線局情報検索部１０から出力された推定無線局情報ｗｓが検索されて電波型式推定部８から出力された推定電波型式情報ｐｗと同一の型式を有する無線局が選択され（ステップＡ９）、選択された無線局と固定局・移動局判断部７から出力された局毎発射源位置推定情報ｓｂとを関連付けて上記発射源位置を無線局毎に分類することにより、同発射源位置にある無線局の個体が特定される。
【００２５】
上記方位情報測定処理では、受信機３により、上記各設置位置に設置されているアンテナ２で受信された各無線信号ｗが中間周波数信号ｃｓに変換される（受信処理）。Ａ／Ｄ変換器４により、上記受信処理で出力された中間周波数信号ｃｓがＡ／Ｄ変換されてデジタル複素包絡信号ｄｕが出力される（Ａ／Ｄ変換処理）。方位測定部５により、上記Ａ／Ｄ変換処理で出力されたデジタル複素包絡信号ｄｕに基づいて、アンテナ２で受信された無線信号ｗの到来方位が所定の時間間隔で測定され、方位情報ｄｒが出力される（方位測定処理）。上記識別信号解読処理では、識別信号解読部９により、上記Ａ／Ｄ変換処理で出力されたデジタル複素包絡信号ｄｕに基づいてアンテナ２で受信された無線信号ｗに含まれる上記発射源位置にある無線局を表す識別信号が解読されて識別信号情報ｄｓが出力される。また、上記電波型式推定処理では、電波型式推定部８により、上記Ａ／Ｄ変換処理で出力された各デジタル複素包絡信号ｄｕに基づいて、アンテナ２で受信された無線信号ｗの電波型式が推定されて推定電波型式情報ｐｗが出力される。
【００２６】
以上のように、この実施形態では、監視者の経験や勘に頼ることなく、受信した電波を発射した無線局の個体を特定することが可能となる。
【００２７】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、図１中の固定局・移動局判断部７を省略しても、上記実施形態に準じた作用、効果が得られる。この場合、個特定部１１は、無線局情報検索部１０から出力された推定無線局情報ｗｓを検索して識別信号解読部９から出力された識別信号情報ｄｓと同一の値（たとえば識別子など）を有する無線局を選択し、選択された無線局と発射源位置推定部６から出力された発射源位置推定情報ｓａとを関連付けて上記発射源位置を無線局毎に分類することにより、同発射源位置にある無線局の個体を特定する。また、個特定部１１は、識別信号解読部９から識別信号情報ｄｓが出力されないとき、無線局情報検索部１０から出力された推定無線局情報ｗｓを検索して電波型式推定部８から出力された推定電波型式情報ｐｗと同一の型式を有する無線局を選択し、選択された無線局と発射源位置推定部６から出力された発射源位置推定情報ｓａとを関連付けて上記発射源位置を無線局毎に分類することにより、同発射源位置にある無線局の個体を特定する。
【００２８】
上記の実施形態の一部又は全部は、以下の付記のようにも記載されうるが、以下には限定されない。
【００２９】
（付記１）
所定の設置位置で無線信号を受信して該無線信号の到来方位を測定する複数の方位情報測定手段と、
前記各設置位置に対応した設置位置情報が予め登録され、前記各方位情報測定手段で測定された前記各無線信号の前記到来方位と前記設置位置情報とに基づいて前記各無線信号の発射源位置を推定して発射源位置推定情報を出力する発射源位置推定手段と、
監視の対象となる無線局に関する情報を表す無線局情報が予め登録され、前記発射源位置推定情報に対応する位置及びその近傍の前記無線局情報を検索し、該検索の結果に対応する無線局に関する情報を表す推定無線局情報を出力する無線局情報検索手段と、
前記各方位情報測定手段で受信された前記無線信号に基づいて、前記各無線信号を発射した前記無線局を表す識別信号を解読して識別信号情報を出力するための識別信号解読手段と、
前記識別信号解読手段から前記識別信号情報が出力されたとき、前記無線局情報検索手段から出力された前記推定無線局情報を検索して前記識別信号解読手段から出力された前記識別信号情報と同一の値を有する無線局を選択し、選択された前記無線局と前記発射源位置推定手段から出力された前記発射源位置推定情報とを関連付けて前記発射源位置を前記無線局毎に分類することにより、前記発射源位置にある前記無線局の個体を特定する無線局個体特定手段とを備えてなる電波監視装置。
【００３０】
（付記２）
前記各方位情報測定手段で受信された前記無線信号に基づいて、前記各無線信号の電波型式を推定して推定電波型式情報を出力する電波型式推定手段が設けられ、
前記無線局個体特定手段は、
前記識別信号解読手段から前記識別信号情報が出力されないとき、前記無線局情報検索手段から出力された前記推定無線局情報を検索して前記電波型式推定手段から出力された前記推定電波型式情報と同一の型式を有する無線局を選択し、選択された前記無線局と前記発射源位置推定手段から出力された前記発射源位置推定情報とを関連付けて前記発射源位置を前記無線局毎に分類することにより、前記発射源位置にある前記無線局の個体を特定する構成とされている付記１記載の電波監視装置。
【００３１】
（付記３）
前記発射源位置推定手段から出力された前記発射源位置推定情報に基づいて、前記発射源位置が所定時間変動しない場合に該発射源位置にある前記無線局を固定局と判断する一方、変動がある場合に移動局と判断し、無線局毎の発射源位置を推定して局毎発射源位置推定情報を出力する固定局・移動局判断手段が設けられ、
前記無線局個体特定手段は、
前記発射源位置推定情報に代えて、前記固定局・移動局判断手段から出力された前記局毎発射源位置推定情報を用いる構成とされている付記１又は２記載の電波監視装置。
【００３２】
（付記４）
前記各方位情報測定手段は、
前記設置位置に設置されているアンテナと、
前記アンテナで受信された各無線信号を中間周波数信号に変換する受信機と、
前記受信機から出力された前記中間周波数信号をアナログ／デジタル変換してデジタル複素包絡信号を出力するアナログ／デジタル変換器と、
前記アナログ／デジタル変換器から出力された前記各デジタル複素包絡信号に基づいて、前記アンテナで受信された前記無線信号の到来方位を所定の時間間隔で測定して方位情報を出力する方位測定部とから構成されている付記１、２又は３記載の電波監視装置。
【００３３】
（付記５）
前記識別信号解読手段は、
前記アナログ／デジタル変換器から出力された前記各デジタル複素包絡信号に基づいて、前記発射源位置にある前記無線局を表す前記識別信号を解読して前記識別信号情報を出力する構成とされている付記４記載の電波監視装置。
【００３４】
（付記６）
前記電波型式推定手段は、
前記アナログ／デジタル変換器から出力された前記各デジタル複素包絡信号に基づいて、前記アンテナで受信された前記無線信号の電波型式を推定して前記推定電波型式情報を出力する構成とされている付記４又は５記載の電波監視装置。
【００３５】
（付記７）
無線局識別プログラムがコンピュータに、無線局を識別させる無線局識別方法であって、
前記コンピュータに、
複数の設置位置で無線信号を受信して該無線信号の到来方位を測定する方位情報測定処理と、
前記各設置位置に対応した設置位置情報を予め登録し、前記方位情報測定処理で測定された前記各無線信号の前記到来方位と前記設置位置情報とに基づいて前記各無線信号の発射源位置を推定して発射源位置推定情報を出力する発射源位置推定処理と、
監視の対象となる無線局に関する情報を表す無線局情報を予め登録し、前記発射源位置推定情報に対応する位置及びその近傍の前記無線局情報を検索し、該検索の結果に対応する無線局に関する情報を表す推定無線局情報を出力する無線局情報検索処理と、
前記方位情報測定処理で受信された前記無線信号に基づいて、前記各無線信号を発射した前記無線局を表す識別信号を解読して識別信号情報を出力するための識別信号解読処理と、
前記識別信号解読処理で前記識別信号情報が出力されたとき、前記無線局情報検索処理で出力された前記推定無線局情報を検索して前記識別信号解読処理で出力された前記識別信号情報と同一の値を有する無線局を選択し、選択された前記無線局と前記発射源位置推定処理で出力された前記発射源位置推定情報とを関連付けて前記発射源位置を前記無線局毎に分類することにより、前記発射源位置にある前記無線局の個体を特定する無線局個体特定処理とを行わせる無線局識別方法。
【００３６】
（付記８）
前記コンピュータに、
前記各方位情報測定処理で受信された前記無線信号に基づいて、前記各無線信号の電波型式を推定して推定電波型式情報を出力する電波型式推定処理を行わせ、
前記無線局個体特定処理では、
前記識別信号解読処理で前記識別信号情報が出力されないとき、前記無線局情報検索処理で出力された前記推定無線局情報を検索して前記電波型式推定処理で出力された前記推定電波型式情報と同一の型式を有する無線局を選択し、選択された前記無線局と前記発射源位置推定処理で出力された前記発射源位置推定情報とを関連付けて前記発射源位置を前記無線局毎に分類することにより、前記発射源位置にある前記無線局の個体を特定する付記７記載の無線局識別方法。
【００３７】
（付記９）
前記コンピュータに、
前記発射源位置推定処理で出力された前記発射源位置推定情報に基づいて、前記発射源位置が所定時間変動しない場合に該発射源位置にある前記無線局を固定局と判断する一方、変動がある場合に移動局と判断し、無線局毎の発射源位置を推定して局毎発射源位置推定情報を出力する固定局・移動局判断処理を行わせ、
前記無線局個体特定処理では、
前記発射源位置推定情報に代えて、前記固定局・移動局判断処理で出力された前記局毎発射源位置推定情報を用いる付記７又は８記載の無線局識別方法。
【００３８】
（付記１０）
前記方位情報測定処理では、
前記コンピュータに、
前記各設置位置に設置されているアンテナで受信された各無線信号を中間周波数信号に変換する受信処理と、
前記受信処理で出力された前記中間周波数信号をアナログ／デジタル変換してデジタル複素包絡信号を出力するアナログ／デジタル変換処理と、
前記アナログ／デジタル変換処理で出力された前記各デジタル複素包絡信号に基づいて、前記アンテナで受信された前記無線信号の到来方位を所定の時間間隔で測定して方位情報を出力する方位測定処理とを行わせる付記７、８又は９記載の無線局識別方法。
【００３９】
（付記１１）
前記識別信号解読処理では、
前記コンピュータに、
前記アナログ／デジタル変換処理で出力された前記各デジタル複素包絡信号に基づいて、前記発射源位置にある前記無線局を表す前記識別信号を解読して前記識別信号情報を出力させる付記１０記載の無線局識別方法。
【００４０】
（付記１２）
前記電波型式推定処理では、
前記コンピュータに、
前記アナログ／デジタル変換処理で出力された前記各デジタル複素包絡信号に基づいて、前記アンテナで受信された前記無線信号の電波型式を推定して前記推定電波型式情報を出力させる付記１０又は１１記載の無線局識別方法。
【００４１】
（付記１３）
コンピュータを、付記１乃至６のいずれか一に記載の電波監視装置として機能させる無線局識別プログラム。
【産業上の利用可能性】
【００４２】
この発明は、受信した電波を発射した無線局の個体を特定する電波監視装置全般に適用できる。
【符号の説明】
【００４３】
１      電波監視装置
２      アンテナ（方位情報測定手段の一部）
３      受信機（方位情報測定手段の一部）
４      Ａ／Ｄ（アナログ／デジタル）変換器
５      方位測定部（方位情報測定手段の一部）
６      発射源位置推定部（発射源位置推定手段）
７      固定局・移動局判断部（固定局・移動局判断手段）
８      電波型式推定部（電波型式推定手段）
９      識別信号解読部（識別信号解読手段）
１０      無線局情報検索部（無線局情報検索手段）
１１      個特定部（無線局個体特定手段）
【図１】
0005472210.tif 000002
【図２】
0005472210.tif 000003